(57)【要約】【課題】ＡＤＳＬ回線収容調整システム及びその方法に関し、急速に高速化が進むＡＤＳＬ回線に対応しつつ、電話局に設置される端局装置内やバックボーン回線の設備に変更を加えることなくトラヒックの不均衡を是正し、通信データのスムーズな疎通を図る。【解決手段】ＡＤＳＬモデム８−１を、クロスコネクト型配線盤装置８−２を介し、端局装置８−３内の回線インターフェース盤に収容する際に、監視制御システム１００内のＡＤＳＬ速度収集部１−５、内部速度収集部１−２、統計処理部１−７等により、各回線インターフェース盤のデータトラヒックの統計情報を取得し、該統計情報を基に各回線インターフェース盤のデータトラヒック量に不均衡を生じないように、新規登録のＡＤＳＬ回線を収容する回線インターフェース盤を決定し、該新規登録のＡＤＳＬ回線と収容先回線インターフェース盤とをクロスコネクト型配線盤装置８−２により接続する。【選択図】      図１
2005175659.tif 000002
【特許請求の範囲】
【請求項１】
複数のＡＤＳＬ回線を、クロスコネクト型配線盤装置を介し、複数の回線インターフェース盤に接続して収容するＡＤＳＬ伝送システムにおいて、
前記複数の回線インターフェース盤毎の単位時間当たりのデータトラヒックの統計情報を予め取得して保持する手段と、
新規に登録するＡＤＳＬ回線を収容する際に、前記予め保持された回線インターフェース盤毎の単位時間当たりのデータトラヒックの統計情報を基に、各回線インターフェース盤の単位時間当たりのデータトラヒック量に不均衡を生じないように、新規登録のＡＤＳＬ回線を収容する回線インターフェース盤を決定する手段と、
前記新規登録のＡＤＳＬ回線と、該ＡＤＳＬ回線を収容する回線インターフェース盤として決定された回線インターフェース盤とを接続するように、クロスコネクト型配線盤装置を制御する手段と、
を備えたことを特徴とするＡＤＳＬ回線収容調整システム。
【請求項２】
複数のＡＤＳＬ回線を、クロスコネクト型配線盤装置を介し、複数の回線インターフェース盤に接続して収容するＡＤＳＬ伝送システムにおいて、
前記複数の回線インターフェース盤毎の単位時間当たりのデータトラヒックの統計情報を予め取得して保持する手段と、
前記回線インターフェース盤毎の単位時間当たりのデータトラヒックの統計情報を基に、各回線インターフェース盤の単位時間当たりのデータトラヒック量の不均衡を是正するように、単位時間当たりのデータトラヒック量の多い回線インターフェース盤に収容されているＡＤＳＬ回線を、単位時間当たりのデータトラヒック量のより少ない回線インターフェース盤に収容するように、収容替えを行う回線インターフェース盤のＡＤＳＬ回線を決定する手段と、
前記収容替えを行う回線インターフェース盤のＡＤＳＬ回線を、該ＡＤＳＬ回線を収容する回線インターフェース盤として決定された回線インターフェース盤に接続するように、クロスコネクト型配線盤装置を制御する手段と、
を備えたことを特徴とするＡＤＳＬ回線収容調整システム。
【請求項３】
前記複数の回線インターフェース盤のうち、単位時間当たりのデータトラヒック量が最も多い回線インターフェース盤を割り出し、該回線インターフェース盤に収容されているＡＤＳＬ回線を、単位時間当たりのデータトラヒック量のより少ない回線インターフェース盤に収容するように、収容替えを行う回線インターフェース盤のＡＤＳＬ回線を決定する手段を備えたことを特徴とする請求項２に記載のＡＤＳＬ回線収容調整システム。
【請求項４】
前記複数の回線インターフェース盤のうち、単位時間当たりのデータトラヒック量が所定のしきい値を越えている回線インターフェース盤を割り出し、該回線インターフェース盤に収容されているＡＤＳＬ回線を、単位時間当たりのデータトラヒック量が所定のしきい値以下の回線インターフェース盤に収容するように、収容替えを行う回線インターフェース盤のＡＤＳＬ回線を決定する手段を備えたことを特徴とする請求項２に記載のＡＤＳＬ回線収容調整システム。
【請求項５】
複数のＡＤＳＬ回線を、クロスコネクト型配線盤装置を介し、複数の回線インターフェース盤に接続して収容するＡＤＳＬ伝送システムにおいて、
前記複数の回線インターフェース盤毎の単位時間当たりのデータトラヒックの統計情報を予め取得して保持するステップと、
新規に登録するＡＤＳＬ回線を収容する際に、前記予め保持された回線インターフェース盤毎の単位時間当たりのデータトラヒックの統計情報を基に、各回線インターフェース盤の単位時間当たりのデータトラヒック量に不均衡を生じないように、新規登録のＡＤＳＬ回線を収容する回線インターフェース盤を決定するステップと、
前記新規登録のＡＤＳＬ回線と、該ＡＤＳＬ回線を収容する回線インターフェース盤として決定された回線インターフェース盤とを接続するように、クロスコネクト型配線盤装置を制御するステップと、
を有することを特徴とするＡＤＳＬ回線収容調整方法。
【請求項６】
複数のＡＤＳＬ回線を、クロスコネクト型配線盤装置を介し、複数の回線インターフェース盤に接続して収容するＡＤＳＬ伝送システムにおいて、
前記複数の回線インターフェース盤毎の単位時間当たりのデータトラヒックの統計情報を予め取得して保持するステップと、
前記回線インターフェース盤毎の単位時間当たりのデータトラヒックの統計情報を基に、各回線インターフェース盤の単位時間当たりのデータトラヒック量の不均衡を是正するように、単位時間当たりのデータトラヒック量の多い回線インターフェース盤に収容されているＡＤＳＬ回線を、単位時間当たりのデータトラヒック量のより少ない回線インターフェース盤に収容するように、収容替えを行う回線インターフェース盤のＡＤＳＬ回線を決定するステップと、
前記収容替えを行う回線インターフェース盤のＡＤＳＬ回線を、該ＡＤＳＬ回線を収容する回線インターフェース盤として決定された回線インターフェース盤に接続するように、クロスコネクト型配線盤装置を制御するステップと、
を有することを特徴とするＡＤＳＬ回線収容調整方法。
【請求項７】
前記複数の回線インターフェース盤のうち、単位時間当たりのデータトラヒック量が最も多い回線インターフェース盤を割り出し、該回線インターフェース盤に収容されているＡＤＳＬ回線を、単位時間当たりのデータトラヒック量のより少ない回線インターフェース盤に収容するように、収容替えを行う回線インターフェース盤のＡＤＳＬ回線を決定するステップを有することを特徴とする請求項６に記載のＡＤＳＬ回線収容調整方法。
【請求項８】
前記複数の回線インターフェース盤のうち、単位時間当たりのデータトラヒック量が所定のしきい値を越えている回線インターフェース盤を割り出し、該回線インターフェース盤に収容されているＡＤＳＬ回線を、単位時間当たりのデータトラヒック量が所定のしきい値以下の回線インターフェース盤に収容するように、収容替えを行う回線インターフェース盤のＡＤＳＬ回線を決定するステップを有することを特徴とする請求項６に記載のＡＤＳＬ回線収容調整方法。
【発明の詳細な説明】
【技術分野】
【０００１】
本発明は、ＡＤＳＬ回線収容調整システム及びその方法に関し、より詳しくは、ＡＤＳＬ（Asymmetric Digital Subscriber Line）伝送技術により、インターネット等の通信を高速に行うことを可能にする回線（以下、ＡＤＳＬ回線という）を、電話局内における端局装置へ収容する際の収容位置を調整するシステム及びその方法に関する。
【背景技術】
【０００２】
本発明の適用対象であるＡＤＳＬ伝送方式のシステム構成を図８に示す。同図において、ＡＤＳＬモデム８−１はエンドユーザのオフィスや家屋等の電話加入者宅内に設置される終端装置であり、エンドユーザのパーソナルコンピュータ等の情報機器により送受されるインターネット通信のデータ信号を、電話回線と兼用のＡＤＳＬ回線を介して中継する装置である。電話による音声信号とインターネット通信等のデータ信号とは、スプリッター（図示省略）により異なる周波数帯域に分離されて伝送される。
【０００３】
ＡＤＳＬモデム８−１を接続したＡＤＳＬ回線（電話回線）は、電話局においてクロスコネクト（ＸＣ）型配線盤装置８−２に接続され、クロスコネクト（ＸＣ）型配線盤装置８−２を介して電話局設置の端局装置（ＤＳＬＡＭ：Digital Subscriber Line Access Multiplexer）８−３に収容される。
【０００４】
クロスコネクト（ＸＣ）型配線盤装置８−２は、各ＡＤＳＬ回線（電話回線）を各端局装置（ＤＳＬＡＭ）８−３内の回線インターフェース盤の何れかに任意に切替えて接続することができる主配線盤である。以下、本明細書において、「クロスコネクト（ＸＣ）型配線盤装置」を「ＸＣ型配線盤装置」、電話局設置の端局装置（ＤＳＬＡＭ）を「ＤＳＬＡＭ装置」と略称する。
【０００５】
ＤＳＬＡＭ装置８−３は、ＡＤＳＬ回線（電話回線）上で異なる周波数帯域で伝送された音声信号とデータ信号とを分離して、音声信号を電話交換機（図示省略）へ、データ信号を外部装置８−４へ送出し、また、逆に、外部装置８−４からのデータ信号と電話交換機（図示省略）からの音声信号とを異なる周波数帯域に載せてＡＤＳＬ回線（電話回線）へ送出する。外部装置８−４は、インターネット網８−８との間でデータ信号を送受信する装置であり、例えばＡＴＭ装置などである。
【０００６】
監視制御端末８−５は監視制御システム８−６と連携し、保守者等の操作により電話局内の種々の設備・装置の監視・制御を行うためのクライアント端末である。監視制御システム８−６は監視制御端末８−５及び線路情報システム８−７と連携し、ＸＣ型配線盤装置８−２、ＤＳＬＡＭ装置８−３及び外部装置８−４等をそれぞれ監視・制御する装置である。線路情報システム８−７は、ＡＤＳＬモデム８−１が設置されたエンドユーザの家屋やオフィス等から、ＤＳＬＡＭ装置８−３が設置された電話局までの距離とその伝送損失を管理するシステムである。
【０００７】
上述のＡＤＳＬ伝送方式のシステムは、急テンポな技術革新により短期間に伝送速度が１．５Ｍｂｐｓから２４Ｍｂｐｓへと高速化が進み、これにより、アクセス回線（エンドユーザから電話局までの回線）は高速化されたが、電話局に設置されるＤＳＬＡＭ装置８−３内部やバックボーン回線（電話局設備とインターネット網８−８とを繋ぐ回線）の設備・装置の速度は、旧来の１．５Ｍｂｐｓから最近の２４Ｍｂｐｓへと進展しているＡＤＳＬ速度に合わせてアップグレード化する試みは行われていない。
【０００８】
この様子を、図９を参照して説明する。図９の（Ａ）は旧来の１．５Ｍｂｐｓ時代のシステム構成図であり、図９の（Ｂ）は最近の２４Ｍｂｐｓ時代のシステム構成図である。ＤＳＬＡＭ装置８−３において、ＡＤＳＬモデム８−１との間で送受されるデータ信号は、スプリッタ（ＳＰＬ）８−３１により音声信号と分離され、データ信号はＡＤＳＬ回線終端機能を有するパッケージである回線インターフェース（ＬＩＦ）盤８−３２に収容される。ここで、「回線インターフェース（ＬＩＦ）盤」を「ＬＩＦ盤」と略称する。
【０００９】
複数のＬＩＦ盤８−３２からのデータ信号は共通部８−３３により多重化され、ＷＡＮ（Wide Area Network）側に送出される。ここで、共通部８−３３の主要機能は、中央プロセッサ（ＣＰＵ）、クロック信号発生分配部、ＡＴＭスイッチ（ＡＴＭ−ＳＷ）、ＷＡＮインターフェース盤、ＬＩＦ盤制御部等により構成される。
【００１０】
図９（Ａ）の旧来の１．５Ｍｂｐｓ時代のシステム構成では、ＡＤＳＬ回線（アクセス回線）の伝送速度が１．５Ｍｂｐｓであることを前提にして、ＬＩＦ盤８−３２及び共通部８−３３が製造されている。一方、図９（Ｂ）の２４Ｍｂｐｓ時代のシステム構成では、ＡＤＳＬ回線（アクセス回線）の伝送速度が２４Ｍｂｐｓと大幅に高速化されているが、ＬＩＦ盤８−３２及び共通部８−３３におけるアクセス回線とのインターフェース部以外の構成は、旧来の１．５Ｍｂｐｓ時代の構成と同様のままである。
【００１１】
図９（Ａ）の旧来の１．５Ｍｂｐｓ時代のシステム構成においては、下記の（ａ）（ｂ）（ｃ）がトラヒック的にバランス良く保たれ、輻輳を起こすことなくスムーズな通信データの疎通が行われていたが、図９（Ｂ）の２４Ｍｂｐｓ時代のシステム構成では、（ａ）の伝送速度のみが高速化されたために（ｂ）（ｃ）においてトラヒックの著しい不均衡を生じやすい状況になっている。
【００１２】
（ａ）ＬＩＦ盤とＡＤＳＬモデム間の伝送速度と回線数
（ｂ）共通部とＬＩＦ盤間の伝送速度と回線数
（ｃ）ＷＡＮ側の上位外部装置と共通部間の伝送速度
上記の（ａ）（ｂ）（ｃ）は、図９の（Ａ）及び（Ｂ）において符号（ａ）（ｂ）（ｃ）で示した点の伝送速度等に対応する。
【００１３】
なお、上記の（ａ）はＬＩＦ盤とＡＤＳＬモデムとの間のデータ伝送速度を意味し、以下これを“ＡＤＳＬ速度”と定義する。このＡＤＳＬ速度には、更に伝送損失から割り出される理論上のＡＤＳＬ速度（想定）と、ＬＩＦ盤とＡＤＳＬモデムとの間の回線確立のときに測定可能な所謂リンクアップ速度であるＡＤＳＬ速度（実測）とがある。
【００１４】
また、上記の（ｂ）は共通部とＬＩＦ盤間のデータ伝送速度を意味し、以下これを“内部速度”と定義する。この内部速度には、更にＬＩＦ盤と共通部との間の内部バスの帯域により定まるハードウェア上の内部速度（物理）と、ＬＩＦ盤と共通部との間に実際張られた回線の帯域であって各ＬＩＦ盤に登録されている回線のＡＤＳＬ速度（想定／実測）の総和となる内部速度（実測）とがある。また、上記の（ｃ）は共通部と上位の外部装置との間のデータ伝送速度を意味し、以下これを“外部速度”と定義する。
【００１５】
ＤＳＬＡＭ装置８−３内においてトラヒックのアンバランスが生じ、例えば、或る１つのＬＩＦ盤８−３２において、それに収容されている複数のＡＤＳＬモデム８−１の通信量の総計が、共通部８−３３と該ＬＩＦ盤８−３２との間の最大伝送速度を上回る通信量となった場合には、上回った分の通信データは送信不能となるため、通信データに欠落が生じることとなる。
【００１６】
しかし、欠落した通信データは通信プロトコルによりＡＤＳＬモデム８−１から再送され、通信データの欠落については救済されるが、必ずしも通信データの欠落が常に救済されるわけではない。このような状況であるにも拘わらず、２４Ｍｂｐｓ時代でも旧来の１．５Ｍｂｐｓの時代のシステム構成で通信サービスを継続して提供していられるのは次の理由（１）〜（４）による。
【００１７】
（１）ＡＤＳＬ回線の速度２４Ｍｂｐｓという公称値はあくまでも最大値であり、ユーザエンドまでの線路状況によって大きく変化し、実際の速度は大半がそれよりかなり低い速度であること
（２）実際の通信の用途が電子メール送受やウェブサイト閲覧が中心であり、それらの通信はバースト的に発生し、瞬間的には大きな帯域を必要とはするものの、平均的にはそれほど多くの帯域を必要とせず、現状では特に大きな支障なく通信が可能であること
（３）インターネットの通信サービスはベストエフォート（最大努力）型のサービスであることがエンドユーザに広く認知されているため、一時的に帯域負荷が大きくなって通信データの欠損等の不具合が発生しても、時間を多少おいて再試行する等により正常通信が可能となり、要望する通信サービスが許容限度内で受けられていること
（４）ＡＤＳＬ回線の短期間の急激な高速化の技術進歩に対して、ＤＳＬＡＭ装置８−３内の各回路装置の導入時からの償却期間が過ぎておらず、最新のＡＤＳＬ回線速度に即応して新しい回路装置に変更できない事情があること
【００１８】
ＡＤＳＬ回線の速度がそれぞれ１．５Ｍｂｐｓ、８Ｍｂｐｓ、１２Ｍｂｐｓ、２４Ｍｂｐｓの規格のＡＤＳＬ技術については、下記の文献等に記載されている。
【非特許文献１】日経ＮＥＴＷＯＲＫ  １月号  日経ＢＰ社  ２００２年１２月２２日発行  第３３号
【発明の開示】
【発明が解決しようとする課題】
【００１９】
ＤＳＬＡＭ装置とＡＤＳＬモデムとをＡＤＳＬ回線で接続したＡＤＳＬ伝送システムにおいて、ＡＤＳＬ回線が急速に高速化され、より高速なＡＤＳＬ回線を利用するエンドユーザが増えるにつれ、ＤＳＬＡＭ装置内のＬＩＦ盤間の極端なトラヒックの不均衡によって、スムーズな通信データの疎通が阻害される事態が発生する懸念が日増しに大きくなっている。
【００２０】
本発明は、急速に高速化が進むＡＤＳＬ回線に対応しつつ、ＤＳＬＡＭ装置内の回路装置やバックボーン回線の設備・装置の構成に変更を加えることなく、ＤＳＬＡＭ装置内のトラヒックの不均衡を是正するＡＤＳＬ回線収容調整システム及びその方法を提供し、それにより通信データのスムーズな疎通を図ることを目的とする。
【課題を解決するための手段】
【００２１】
本発明のＡＤＳＬ回線収容調整システムは、（１）複数のＡＤＳＬ回線を、クロスコネクト型配線盤装置を介し、複数の回線インターフェース盤に接続して収容するＡＤＳＬ伝送システムにおいて、前記複数の回線インターフェース盤毎の単位時間当たりのデータトラヒックの統計情報を予め取得して保持する手段と、新規に登録するＡＤＳＬ回線を収容する際に、前記予め保持された回線インターフェース盤毎の単位時間当たりのデータトラヒックの統計情報を基に、各回線インターフェース盤の単位時間当たりのデータトラヒック量に不均衡を生じないように、新規登録のＡＤＳＬ回線を収容する回線インターフェース盤を決定する手段と、前記新規登録のＡＤＳＬ回線と該ＡＤＳＬ回線を収容する回線インターフェース盤として決定された回線インターフェース盤とを接続するようにクロスコネクト型配線盤装置を制御する手段とを備えたことを特徴とする。
【００２２】
また、（２）複数のＡＤＳＬ回線を、クロスコネクト型配線盤装置を介し、複数の回線インターフェース盤に接続して収容するＡＤＳＬ伝送システムにおいて、前記複数の回線インターフェース盤毎の単位時間当たりのデータトラヒックの統計情報を予め取得して保持する手段と、前記回線インターフェース盤毎の単位時間当たりのデータトラヒックの統計情報を基に、各回線インターフェース盤の単位時間当たりのデータトラヒック量の不均衡を是正するように、単位時間当たりのデータトラヒック量の多い回線インターフェース盤に収容されているＡＤＳＬ回線を、単位時間当たりのデータトラヒック量のより少ない回線インターフェース盤に収容するように、収容替えを行う回線インターフェース盤のＡＤＳＬ回線を決定する手段と、前記収容替えを行う回線インターフェース盤のＡＤＳＬ回線を、該ＡＤＳＬ回線を収容する回線インターフェース盤として決定された回線インターフェース盤に接続するようにクロスコネクト型配線盤装置を制御する手段とを備えたことを特徴とする。
【００２３】
また、（３）前記複数の回線インターフェース盤のうち、単位時間当たりのデータトラヒック量が最も多い回線インターフェース盤を割り出し、該回線インターフェース盤に収容されているＡＤＳＬ回線を、単位時間当たりのデータトラヒック量のより少ない回線インターフェース盤に収容するように、収容替えを行う回線インターフェース盤のＡＤＳＬ回線を決定する手段を備えたことを特徴とする。
【００２４】
また、（４）前記複数の回線インターフェース盤のうち、単位時間当たりのデータトラヒック量が所定のしきい値を越えている回線インターフェース盤を割り出し、該回線インターフェース盤に収容されているＡＤＳＬ回線を、単位時間当たりのデータトラヒック量が所定のしきい値以下の回線インターフェース盤に収容するように、収容替えを行う回線インターフェース盤のＡＤＳＬ回線を決定する手段を備えたことを特徴とする。
【００２５】
また、本発明のＡＤＳＬ回線収容調整方法は、（５）複数のＡＤＳＬ回線を、クロスコネクト型配線盤装置を介し、複数の回線インターフェース盤に接続して収容するＡＤＳＬ伝送システムにおいて、前記複数の回線インターフェース盤毎の単位時間当たりのデータトラヒックの統計情報を予め取得して保持するステップと、新規に登録するＡＤＳＬ回線を収容する際に、前記予め保持された回線インターフェース盤毎の単位時間当たりのデータトラヒックの統計情報を基に、各回線インターフェース盤の単位時間当たりのデータトラヒック量に不均衡を生じないように、新規登録のＡＤＳＬ回線を収容する回線インターフェース盤を決定するステップと、前記新規登録のＡＤＳＬ回線と、該ＡＤＳＬ回線を収容する回線インターフェース盤として決定された回線インターフェース盤とを接続するように、クロスコネクト型配線盤装置を制御するステップとを有することを特徴とする。
【００２６】
また、（６）複数のＡＤＳＬ回線を、クロスコネクト型配線盤装置を介し、複数の回線インターフェース盤に接続して収容するＡＤＳＬ伝送システムにおいて、前記複数の回線インターフェース盤毎の単位時間当たりのデータトラヒックの統計情報を予め取得して保持するステップと、前記回線インターフェース盤毎の単位時間当たりのデータトラヒックの統計情報を基に、各回線インターフェース盤の単位時間当たりのデータトラヒック量の不均衡を是正するように、単位時間当たりのデータトラヒック量の多い回線インターフェース盤に収容されているＡＤＳＬ回線を、単位時間当たりのデータトラヒック量のより少ない回線インターフェース盤に収容するように、収容替えを行う回線インターフェース盤のＡＤＳＬ回線を決定するステップと、前記収容替えを行う回線インターフェース盤のＡＤＳＬ回線を、該ＡＤＳＬ回線を収容する回線インターフェース盤として決定された回線インターフェース盤に接続するように、クロスコネクト型配線盤装置を制御するステップとを有することを特徴とする。
【００２７】
また、（７）前記複数の回線インターフェース盤のうち、単位時間当たりのデータトラヒック量が最も多い回線インターフェース盤を割り出し、該回線インターフェース盤に収容されているＡＤＳＬ回線を、単位時間当たりのデータトラヒック量のより少ない回線インターフェース盤に収容するように、収容替えを行う回線インターフェース盤のＡＤＳＬ回線を決定するステップを有することを特徴とする。
【００２８】
また、（８）前記複数の回線インターフェース盤のうち、単位時間当たりのデータトラヒック量が所定のしきい値を越えている回線インターフェース盤を割り出し、該回線インターフェース盤に収容されているＡＤＳＬ回線を、単位時間当たりのデータトラヒック量が所定のしきい値以下の回線インターフェース盤に収容するように、収容替えを行う回線インターフェース盤のＡＤＳＬ回線を決定するステップを有することを特徴とする。
【発明の効果】
【００２９】
本発明は、複数の回線インターフェース盤毎の単位時間当たりのデータトラヒックの統計情報を予め取得し、該予め保持された回線インターフェース盤毎の単位時間当たりのデータトラヒックの統計情報を基に、各回線インターフェース盤の単位時間当たりのデータトラヒック量に不均衡を生じないように、新規登録のＡＤＳＬ回線を収容する回線インターフェース盤を決定し、その間を接続するようにクロスコネクト型配線盤装置を制御することにより、回線インターフェース盤間のデータトラヒック量の不均衡を緩和することができる。
【００３０】
また、予め保持された回線インターフェース盤毎の単位時間当たりのデータトラヒックの統計情報を基に、各回線インターフェース盤の単位時間当たりのデータトラヒック量に不均衡を生じないように、データトラヒック量の多い回線インターフェース盤に収容されているＡＤＳＬ回線を、データトラヒック量のより少ない回線インターフェース盤に収容するように収容替えを行う回線インターフェース盤のＡＤＳＬ回線を決定し、該ＡＤＳＬ回線を、決定された収容替え先の回線インターフェース盤に接続するようにクロスコネクト型配線盤装置を制御することにより、回線インターフェース盤間のデータトラヒック量の不均衡を緩和することができる。
【００３１】
従って、急速な高速化が進むＡＤＳＬ伝送システムにおいて、高速化アクセス回線に対応するためのインターフェース部の装置・機器のみを導入し、それ以外の装置・機器については旧来の構成に極力変更を加えることなく、コスト上昇を抑えて通信データのスムーズな疎通を図ることができ、良好な通信サービスを提供することができる。
【発明を実施するための最良の形態】
【００３２】
図１に本発明のＡＤＳＬ回線収容調整システムの構成を示す。同図において、ＡＤＳＬモデム８−１はＤＳＬＡＭ装置８−３との間でエンドユーザの情報機器によるデータ信号の中継を行う装置である。ＸＣ型配線盤装置８−２はエンドユーザからのＡＤＳＬ回線を任意のＤＳＬＡＭ装置８−３のインターフェース盤に接続することが可能な主配線盤であり、監視制御システム１００と連携してエンドユーザのＡＤＳＬ回線の収容位置を決定し自動的に接続を行う。
【００３３】
ＤＳＬＡＭ装置８−３は音声信号とデータ信号とを分離し、データ信号を外部装置８−４と送受する装置で、監視制御システム１００と連携し、内部の各回路装置の伝送速度及びＡＤＳＬ回線の伝送速度の情報収集を行い、ＡＤＳＬ回線の収容調整のための監視制御を行う。外部装置８−４はインターネット網８−８とデータ信号を送受する装置で、監視制御システム１００と連携し、電話局設備とインターネット網８−８とを繋ぐ外部回線（バックボーン回線）の伝送速度の情報収集を行う。
【００３４】
監視制御端末８−５は監視制御システム１００と連携し、オペレータ等の操作により、ＡＤＳＬ回線の新規加入エンドユーザを登録し、また、各装置の状態や運用状況を監視・制御するためのクライアント端末である。線路情報システム８−７はエンドユーザのＡＤＳＬモデム８−１からＡＤＳＬ回線収容局のＤＳＬＡＭ装置８−３までの距離とその伝送損失を管理するシステムであり、監視制御システム１００と連携し、それらの線路情報の収集を行う。
【００３５】
監視制御システム１００は、ＸＣ型配線盤装置８−２、ＤＳＬＡＭ装置８−３、外部装置８−４、監視制御端末８−５、線路情報システム８−７と連携し、それぞれを監視（情報収集）・制御する装置であり、本発明の中心をなす機能部であり、以下、監視制御システム１００内のそれぞれの機能部について説明する。
【００３６】
コマンド処理部１−１は、ＡＤＳＬ回線の新規登録において、監視制御端末８−５からオペレータ等により新規に登録するＡＤＳＬ回線のエンドユーザの電話番号が入力されると、このコマンド要求を受付けて要求内容を判別し、処理部１−６を経由して線路情報収集部１−８を連携させる処理を行う。
【００３７】
また、オペレータ等が監視制御端末８−５からＡＤＳＬ回線の新規登録の際の収容調整実施の要求を行うと、コマンド処理部１−１はこの要求を受付けて要求内容を判別し、処理部１−６を経由して、ＡＤＳＬ速度収集部１−５及び外部速度収集部１−１１を連携させる処理を行う。
【００３８】
線路情報収集部１−８は、処理部１−６からＡＤＳＬ回線の新規登録の要求を受け取り、ＡＤＳＬ回線新規登録のエンドユーザの電話番号を引き継ぎ、該電話番号の線路状況の情報の要求を線路情報システム８−７に送出する処理を行う。そして、線路情報システム８−７から該電話番号のエンドユーザまでの線路の距離及びその伝送損失の情報を受け取り、ＡＤＳＬ速度変換部１−９に“伝送損失情報”を引き渡す処理を行う。
【００３９】
ＡＤＳＬ速度変換部１−９は、線路情報収集部１−８から“伝送損失情報”を受け取り、該“伝送損失情報”を入力にして、伝送損失とＡＤＳＬ速度の対応を格納したＡＤＳＬ速度対応データテーブル１−１０からＡＤＳＬ速度を読み出す処理を行う。ＡＤＳＬ速度対応データテーブル１−１０から読み出したＡＤＳＬ速度を、処理部１−６を経由してＬＩＦ盤収容変更部１−３に引き継ぎ、ＬＩＦ盤収容変更部１−３は、内部速度収集部１−２と連携して、ＬＩＦ盤収容変更を行う。
【００４０】
ＡＤＳＬ速度対応データテーブル１−１０は、ＡＤＳＬ回線の伝送損失とＡＤＳＬ速度との対応データを管理し、例えば、図５の（Ｃ）に示すように、ＡＤＳＬ回線の伝送損失３ｄｂに対してＡＤＳＬ速度１５Ｍｂｐｓ、ＡＤＳＬ回線の伝送損失４ｄｂに対してＡＤＳＬ速度１４Ｍｂｐｓ、ＡＤＳＬ回線の伝送損失５ｄｂに対してＡＤＳＬ速度１３Ｍｂｐｓ、・・・などのように、各ＡＤＳＬ回線の伝送損失値に対するそれぞれのＡＤＳＬ速度値を格納している。
【００４１】
内部速度収集部１−２は、処理部１−６からの指示によりＤＳＬＡＭ装置８−３に対して、ＬＩＦ盤単位の内部速度の収集要求を送出する処理を行う。ＤＳＬＡＭ装置８−３からＬＩＦ盤単位の内部速度情報を受け取り、内部速度が最も低く、かつ空きチャネルを有するＬＩＦ盤を探索し、そのＬＩＦ盤番号と空きチャネル番号とを特定する処理を行う。また、特定したＤＳＬＡＭ装置８−３のＬＩＦ盤番号と空きチャネル番号とを、処理部１−６を経由してＬＩＦ盤収容変更部１−３及びＸＣ型配線盤制御部１−４に引き渡す処理を行う。
【００４２】
ＬＩＦ盤収容変更部１−３は、処理部１−６からＡＤＳＬ速度情報を受け取り、また、処理部１−６により、新規登録のＡＤＳＬ回線用として特定されたＤＳＬＡＭ装置８−３のＬＩＦ盤番号と空きチャネル番号とを受け取る。そして、特定されたＤＳＬＡＭ装置８−３のＬＩＦ盤番号の空きチャネル番号の回線にＡＤＳＬ速度の設定を行うため、当該ＤＳＬＡＭ装置８−３にＡＤＳＬ速度設定要求を送出する処理を行う。また、新規登録時に限らず、サービス運用中のＡＤＳＬ回線に対して、処理部１−６からの指示に従い、トラヒックの低いＬＩＦ盤に収容替えを行うために、ＤＳＬＡＭ装置８−３に対して同様のＡＤＳＬ速度設定要求を送出する処理を行う。
【００４３】
ＡＤＳＬ速度収集部１−５は、処理部１−６からの指示により、ＤＳＬＡＭ装置８−３と連携し、定期的にＤＳＬＡＭ装置８−３内のＬＩＦ盤毎の単位時間毎のデータトラヒック（内部）を収集する処理を行う。そして、収集したトラヒック情報を、処理部１−６を経由して統計処理部１−７に引き渡すための処理を行う。
【００４４】
ＸＣ型配線盤制御部１−４は、処理部１−６から特定されたＤＳＬＡＭ装置８−３のＬＩＦ盤番号と空きチャネル番号とを受け取り、新規登録のエンドユーザのＡＤＳＬモデム８−１を、処理部１−６から受け取ったＤＳＬＡＭ装置８−３のＬＩＦ盤番号の空きチャネル番号の回線に収容するため、ＸＣ型配線盤装置８−２に接続設定要求を送出する処理を行う。
【００４５】
また、ＸＣ型配線盤制御部１−４は、新規登録時に限らず、サービス運用中のＡＤＳＬ回線に対して、統計処理部１−７からの指示に従い、トラヒックの多いＬＩＦ盤からトラヒックの少ないＬＩＦ盤にＡＤＳＬ回線の収容替えを行うために、ＸＣ型配線盤装置８−２に対して同様の接続替え設定要求を送出する処理を行う。
【００４６】
外部速度収集部１−１１は、処理部１−６からの指示により、ＤＳＬＡＭ装置８−３と連携し、定期的にＤＳＬＡＭ装置８−３単位で単位時間毎のデータトラヒック（外部）を収集する処理を行う。そして、収集したトラヒック情報を、処理部１−６を経由して統計処理部１−７に引き渡すための処理を行う。
【００４７】
統計処理部１−７は、処理部１−６からＤＳＬＡＭ装置８−３内のデータトラヒック（内部）の情報とＤＳＬＡＭ装置８−３の外部へのデータトラヒック（外部）の情報とを受け取り、受け取ったデータトラヒック（内部及び外部）の情報を集計する処理を行う。
【００４８】
処理部１−６は、コマンド処理部１−１、線路情報収集部１−８、ＡＤＳＬ速度変換部１−９、内部速度収集部１−２、ＬＩＦ盤収容変更部１−３、ＸＣ型配線盤制御部１−４、ＡＤＳＬ速度収集部１−５、外部速度収集部１−１１及び統計処理部１−７と連携し、各機能部から各種情報を引継ぎ、また各機能部へ各種情報を引渡す処理を行い、ＡＤＳＬ回線の新規登録時に、トラヒック量の不均衡が発生しないように、ＡＤＳＬ回線収容位置調整の処理を行う。
【００４９】
更に、処理部１−６は統計処理部１−７と連携し、同一曜日の同一時間帯にトラヒックの高いエンドユーザのＡＤＳＬ回線が複数収容されたＬＩＦ盤が存在するか判定を行い、ＡＤＳＬ回線の収容位置調整が必要か否かを判定する処理を行う。ＡＤＳＬ回線収容位置調整が必要であると判定した場合は、トラヒック量の多いエンドユーザのＡＤＳＬ回線を、同時間帯でトラヒック量の少ない他の別のＬＩＦ盤に収容変更するために、ＬＩＦ盤収容変更部１−３及びＸＣ型配線盤制御部１−４を連携させる処理を行う。
【００５０】
監視制御システム１００内の処理部１−６によるＡＤＳＬ回線新規登録時の処理フローを図２に示す。オペレータによりＡＤＳＬ回線の新規登録要求がコマンド処理部１−１を通り、処理部１−６に通知されると（ステップ２−１）、処理部１−６はこれを受けて、線路情報収集部１−８に入力された新規登録ＡＤＳＬ回線のエンドユーザの電話番号を指定して、線路情報システム８−７から線路情報（伝送損失）を取得する（ステップ２−２）。
【００５１】
次にＡＤＳＬ速度変換部１−９に、伝送損失から実際に開通可能なＡＤＳＬ速度を、ＡＤＳＬ速度対応テーブル１−１０から読み出して算出させる（ステップ２−３）。また、内部速度収集部１−２により、ＤＳＬＡＭ装置８−３のＬＩＦ盤単位の内部速度を収集し（ステップ２−４）、内部速度が最低のＤＳＬＡＭ装置８−３のＬＩＦ盤を特定する（ステップ２−５）。
【００５２】
続いてＬＩＦ盤収容変更部１−３により、特定されたＤＳＬＡＭ装置８−３のＬＩＦ盤に新規登録ＡＤＳＬ回線を収容するようにＬＩＦ盤を設定するとともに（ステップ２−６）、ＸＣ型配線盤制御部１−４により、特定されたＤＳＬＡＭ装置８−３のＬＩＦ盤に、新規登録ＡＤＳＬ回線のＡＤＳＬモデム８−１を接続するようにＸＣ型配線盤装置８−２を設定する（ステップ２−８）。
【００５３】
次に、監視制御システム１００内の処理部１−６によるトラヒック不均衡に対する処理フローについて図３を参照して説明する。定常状態では、ＡＤＳＬ速度収集部１−５にＤＳＬＡＭ装置８−３内のＬＩＦ盤毎の単位時間毎のデ一タトラヒック（内部）を収集させるとともに（ステップ３−１）、外部速度収集部１−１１にＤＳＬＡＭ装置８−３単位で単位時間毎のデ一タトラヒック（外部）を収集させる（ステップ３−２）。
【００５４】
収集した情報は統計処理部１−７に渡し、１週間分蓄積して統計データを集計する（ステップ３−３）。コマンド処理部１−１より、回線収容位置調整実施の指示を受けると（ステップ３−４）、統計処理部１−７の統計データから同一曜日の同一時間帯に高いトラヒック分布を示すＡＤＳＬ回線が複数収容されたＬＩＦ盤が存在するかどうか判定する（ステップ３−５）。
【００５５】
同一曜日の同一時間帯に高いトラヒック分布を示すＡＤＳＬ回線が複数収容されたＬＩＦ盤が存在する場合には、ＬＩＦ盤収容変更部１−３及びＸＣ型配線盤制御部１−４により、トラヒック量の多いＡＤＳＬ回線を同時間帯にトラヒック量の少ない別のＬＩＦ盤に収容変更するように設定する（ステップ３−６）。収容変更は、全ＬＩＦ盤についてトラヒック不均衡の是正が完了するまで続ける（ステップ３−７）。
【００５６】
なお、収容変更を行うＬＩＦ盤のＡＤＳＬ回線を決定する手法として、複数の回線インターフェース盤のうち、単位時間当たりのデータトラヒックが最も多い回線インターフェース盤を割り出し、該回線インターフェース盤に収容されているＡＤＳＬ回線を、単位時間当たりのデータトラヒック量のより少ない回線インターフェース盤に収容するように、収容替えを行う回線インターフェース盤のＡＤＳＬ回線を決定する構成とすることができる。
【００５７】
また、収容変更を行うＬＩＦ盤のＡＤＳＬ回線を決定する他の手法として、複数の回線インターフェース盤のうち、単位時間当たりのデータトラヒック量が所定のしきい値を越えている回線インターフェース盤を割り出し、該回線インターフェース盤に収容されているＡＤＳＬ回線を、単位時間当たりのデータトラヒック量が所定のしきい値以下の回線インターフェース盤に収容するように、収容替えを行う回線インターフェース盤のＡＤＳＬ回線を決定する構成とすることができる。
【実施例１】
【００５８】
図４は、ＡＤＳＬ回線新規登録時の実施例のシステム構成例を示し、該システム構成は以下の前提条件で動作しているものとする。
＜前提条件＞
・ＤＳＬＡＭ装置８−３は、ＬＩＦ盤を３枚（ＬＩＦ＃１〜＃３）実装している。
・各ＬＩＦ盤のＡＤＳＬ回線収容状況は、図５の（Ａ）に示すとおりとなっている。
・線路情報システム８−７が具備している伝送情報は、図５の（Ｂ）に示すとおりとなっている。
・監視制御システム１００が具備している伝送損失とＡＤＳＬ速度（想定）の対応データは、図５の（Ｃ）に示すとおりとなっている。
・監視制御端末８−５、監視制御システム１００、ＤＳＬＡＭ装置８−３、ＸＣ型配線盤装置８−２、線路情報システム８−７は、ＷＡＮを介して相互に監視制御用の情報をやり取りしている。
・各ＬＩＦ盤の最大回線収容数は４０チャネルであるとする。
【００５９】
＜実施例動作＞
オペレータは、監視制御端末８−５により提供されるＧＵＩ（Graphical User Interface）を介してＡＤＳＬ回線の新規登録を行う。ＧＵＩを介して入力されたＡＤＳＬ回線の新規登録のエンドユーザ情報（電話番号＝４４４−４５６−７８９０／住所／サービス内容など）は監視制御システム１００へ転送される。
【００６０】
監視制御システム１００のコマンド処理部１−１は、要求されたコマンドがＡＤＳＬ回線の新規登録要求であると判断して、受信した新規登録エンドユーザ情報から電話番号＝４４４−４５６−７８９０を抽出し、それを線路情報収集部１−８へ渡すべく、処理部１−６へその旨のメッセージを送信する。処理部１−６では、コマンド処理部１−１の指示に従い、電話番号＝４４４−４５６−７８９０を線路情報収集部１−８へ送信する。
【００６１】
線路情報収集部１−８は、受け取った電話番号＝４４４−４５６−７８９０の伝送損失を取得すべく、線路情報システム８−７にメッセージを送信する。線路情報システム８−７では、受信したメッセージより、電話番号＝４４４−４５６−７８９０を抽出し、伝送損失情報テーブル（図５の（Ｂ））を検索し、該当する電話番号伝送損失＝１１（ｄｂ）を割り出し、監視制御システム１００の線路情報収集部１−８へ、その結果（伝送損失＝１１（ｄｂ））を応答送信する。
【００６２】
経路情報検索結果（伝送損失＝１１（ｄｂ））を受信した線路情報収集部１−８は、ＡＤＳＬ速度（想定）を求めるべく、ＡＤＳＬ速度変換部１−９に、検索結果（伝送損失＝１１（ｄｂ））を渡す。線路情報収集部１−８より検索結果（伝送損失＝１１（ｄｂ））を受け取ったＡＤＳＬ速度変換部１−９は伝送損失とＡＤＳＬ速度の対応テーブル（図５の（Ｃ））から、該当する伝送損失に対するＡＤＳＬ速度（想定）を検索する。
【００６３】
その結果、伝送損失＝１１（ｄｂ）に対するＡＤＳＬ速度（想定）＝７（Ｍｂｐｓ）を取得する。取得したＡＤＳＬ速度（想定）＝７（Ｍｂｐｓ）を、処理部１−６へ通知する。これにより、処理部１−６は、新規登録ＡＤＳＬ回線のエンドユーザの電話番号＝４４４−４５６−７８９０をキー項目として、想定されるＡＤＳＬ速度＝７（Ｍｂｐｓ）を取得（保持）することができたことになる。
【００６４】
次に処理部１−６は、現在登録されているＡＤＳＬ回線の速度の収集を行う。処理部１−６は、内部速度収集部１−２にＬＩＦ盤単位のＡＤＳＬ速度を収集するように指示を行う。指示を受けた内部速度収集部１−２では、ＬＩＦ盤＃１のチャネルＣＨ１〜５、ＬＩＦ盤＃２のチャネルＣＨ１〜２、ＬＩＦ盤＃３のチャネルＣＨ１〜３について、ＡＤＳＬ速度（実測値）を取得すべく、ＤＳＬＡＭ装置８−３に取得コマンドを送信する。
【００６５】
該コマンドを受けたＤＳＬＡＭ装置８−３は、ＡＤＳＬ回線による通信接続が確立していたときに測定された最新のＡＤＳＬ速度（実測値）を応答する。但し、未登録のＡＤＳＬ回線のように未だ一度もＡＤＳＬ回線による通信接続が確立していない回線については、その旨（未確立）を応答する。
【００６６】
内部速度収集部１−２は、ＤＳＬＡＭ装置８−３からの応答を基にＬＩＦ盤単位の内部速度を割り出す。その結果の一例を図５の（Ａ）の表に示している。同図の表に示すように、ＬＩＦ盤＃１は内部速度＝２４Ｍｂｐｓ／回線（チャネル）数＝５、ＬＩＦ盤＃２は内部速度＝２２Ｍｂｐｓ／回線（チャネル）数＝２、ＬＩＦ盤＃３は内部速度＝１６Ｍｂｐｓ／回線（チャネル）数＝３である。本結果を処理部１−６へ応答する。なお、未確立の回線（チャネル）については、伝送損失から割り出した想定ＡＤＳＬ速度５Ｍｂｐｓを用いてＬＩＦ盤単位の内部速度を割り出す。
【００６７】
内部速度を受け取った処理部１−６では、内部速度が最低（１６Ｍｂｐｓ）であり、回線に空き（４０チャネルのうち３７チャネル分未登録で空き）があるＬＩＦ盤＃３を割り出す。その結果、処理部１−６は、新規登録のＡＤＳＬ回線をＬＩＦ盤＃３のチャネルＣＨ４に収容するのが適当であると判断し、その旨の登録指示をＬＩＦ盤収容変更部１−３へ行う。
【００６８】
該登録指示を受けたＬＩＦ盤収容変更部１−３は、ＤＳＬＡＭ装置８−３に対してＬＩＦ盤＃３／チャネルＣＨ４に回線登録するコマンドを送信し、正常応答を受信すると、その旨を処理部１−６へ返信する。ＬＩＦ盤収容変更部１−３からの正常応答を受信した処理部１−６は、ＸＣ型配線盤装置８−２による結線を行うべく、ＸＣ型配線盤装置８−２に、新規登録のＡＤＳＬ回線とＬＩＦ盤＃３／チャネルＣＨ４との回線をクロスコネクト接続するよう、ＸＣ型配線盤制御部１−４に指示を出す。
【００６９】
指示を受けたＸＣ型配線盤制御部１−４は、該当箇所を結線する旨のコマンドをＸＣ型配線盤装置８−２に送信し、正常応答を受信するとその旨を処理部１−６へ応答する。処理部１−６にて、ＸＣ型配線盤制御部１−４からの正常応答を受信し、新規ＡＤＳＬ回線の登録処理が終了する。この処理の結果、各ＬＩＦ盤の内部速度は、ＬＩＦ盤＃１＝２４Ｍｂｐｓ、ＬＩＦ盤＃２＝２２Ｍｂｐｓ、ＬＩＦ盤＃３＝２３（１６＋７）Ｍｂｐｓとなり、各ＬＩＦ盤の内部速度に偏りのない回線登録が行われたことになる。
【実施例２】
【００７０】
図６は、ＡＤＳＬ回線トラヒック不均衡に対する実施例のシステム構成例を示し、該システム構成例は以下の前提条件で動作しているものとする。
＜前提条件＞
・ＤＳＬＡＭ装置８−３は、ＬＩＦ盤を３枚（ＬＩＦ＃１〜＃３）実装している。
・ＤＳＬＡＭ装置８−３の上位の外部装置８−４にはＡＴＭスイッチが使用されている。
・監視制御端末８−５、監視制御システム１００、ＤＳＬＡＭ装置８−３、ＸＣ型配線盤装置８−２は、ＷＡＮを介して相互に監視制御用の情報をやり取りしている。
・各エンドユーザが使用するＡＤＳＬ回線の識別子としてＡＴＭ方式の仮想チャネル（ＶＣ：Virtual Channel）の識別子を使用する。
・各エンドユーザのＡＤＳＬ回線の収容情報は、図７の（Ａ）に示すＡＤＳＬ回線収容状態情報テーブルのとおりになっているものとする。
・各ＬＩＦ盤の最大回線収容数は４０チャネルとする。
【００７１】
＜実施例動作＞
図６において、監視制御システム１００のＡＤＳＬ速度収集部１−５は、１日１回、定刻にＤＳＬＡＭ装置８−３から単位時間当たりのデータトラヒック（内部）を収集する。ここで収集するデータトラヒックの単位は、ＬＩＦ盤毎に各エンドユーザを指定して収集する。エンドユーザの指定は、図７の（Ａ）のＡＤＳＬ回線収容状態情報テーブルより、収容ＬＩＦ盤及び収容チャネル番号（ＣＨ）、又は仮想チャネル（ＶＣ）の識別子の値を検索することにより一意に決定する。
【００７２】
ＤＳＬＡＭ装置８−３よりデータトラヒック（内部）を受信したＡＤＳＬ速度収集部１−５は統計処理をすべく、処理部１−６に受信情報を渡す。処理部１−６は、ＡＤＳＬ速度収集部１−５からの指示によりデータトラヒック（内部）情報を統計処理部１−７へ渡す。データトラヒック（内部）情報を受信した処理部１−６は、過去７日分のデータトラヒック（内部）の統計処理を行い、図７の（Ｂ）に示すようにエンドユーザ毎の単位時間のトラヒック集計結果を得る。
【００７３】
外部速度収集部１−１１は、１日１回、定刻にＤＳＬＡＭ装置８−３から単位時間当たりのデータトラヒック（外部）を収集する。ここで収集するデータトラヒックの単位は、外部方向へのトラヒックであり、仮想パス（ＶＰ：Virtual Path）の識別子の値＝１０を指定する。ＤＳＬＡＭ装置８−３からデータトラヒック（外部）を受信したＡＤＳＬ速度収集部１−５は統計処理をすべく、処理部１−６に該受信情報を渡す。
【００７４】
処理部１−６は、ＡＤＳＬ速度収集部１−５からの指示によりデータトラヒック（外部）情報を統計処理部１−７へ渡す。データトラヒック（外部）情報を受信した処理部１−６は、過去７日分のデータトラヒック（外部）の統計処理を行い、図７の（Ｃ）に示すように、ＤＳＬＡＭ装置８−３全体の単位時間のトラヒック集計結果を得る。
【００７５】
統計処理部１−７は、データトラヒック（内部及び外部）の統計情報を過去７日分保持し、最新のデータを受信すると統計情報の更新を行う。図示の過去７日分のデータトラヒック（外部）の例において、２日前の午前１時から２時までの時間帯のトラヒック量が最も多いことから、オペレータの指示等により、２日前の午前１時から２時の時間帯を収容調整の比較ポイントとして収容調整を実施する旨の指示を受けると、コマンド処理部１−１は、該時間帯のデータトラヒック（内部／外部）の統計情報を基に回線収容調整を実施する指示を処理部１−６へ渡す。
【００７６】
処理部１−６は、統計処理部１−７よりデータトラヒック（内部／外部）の統計情報を取得し、指定された２日前の午前１時から２時までの時間帯の各ＬＩＦ盤毎のトラヒック量を求め、その結果、ＬＩＦ盤＃１で８．８Ｍｂｐｓ（＝１．４＋２．７＋２．１＋１．８＋０．８）、ＬＩＦ盤＃２で２．６Ｍｂｐｓ（＝１．１＋１．５）、ＬＩＦ盤＃３で１４．８Ｍｂｐｓ（＝５．７＋６．３＋２．８）となる。
【００７７】
ＬＩＦ盤＃３にトラヒックが集中していることが判り、図７の（Ｂ）のトラヒック情報テーブルから上記の指定日／時間帯でトラヒックが比較的高いエンドユーザはＨ及びＩであることを割り出し、また、図７の（Ａ）のＡＤＳＬ回線収容情報からエンドユーザＨ及びＩは、ＬＩＦ盤＃３に収容されていることを割り出す。
【００７８】
また、最もトラヒックが低いＬＩＦ盤は、ＬＩＦ盤＃２であることを割り出し、この結果から処理部１−６は、最もトラヒック量の多いエンドユーザＩの収容ＬＩＦ盤を、ＬＩＦ盤＃３からＬＩＦ盤＃２へ変更することにより、トラヒックの偏りが緩和されると判断する。処理部１−６は、エンドユーザＩの収容替えを実施すべく、ＬＩＦ盤収容変更部１−３にその旨の指示をする。
【００７９】
指示を受けたＬＩＦ盤収容変更部１−３は、エンドユーザＩをＬＩＦ盤＃３から外すべく、ＤＳＬＡＭ装置８−３にＡＤＳＬ回線削除指示（ＬＩＦ盤＃３／チャネルＣＨ２の削除）を送信する。ＤＳＬＡＭ装置８−３は、対象部位の削除処理を行い、正常終了の応答を送信する。
【００８０】
次にＬＩＦ盤＃２／チャネルＣＨ３に、エンドユーザＩのＡＤＳＬ回線を設定するように、ＤＳＬＡＭ装置８−３にＡＤＳＬ回線登録指示（ＬＩＦ盤＃２／チャネルＣＨ３）を送信する。ＤＳＬＡＭ装置８−３は、対象部位に回線登録処理を行い、正常終了の応答を送信する。ＡＤＳＬ回線登録処理の正常応答を受信したＬＩＦ盤収容変更部１−３は、ＸＣ型配線盤装置８−２に対してクロスコネクトの変更（α−γの接続位置からα−βの接続位置に変更）するようにコマンドを送信する。
【００８１】
ＸＣ型配線盤装置８−２は受信したコマンドに従い、クロスコネクト変更処理を行い、正常終了をＸＣ型配線盤制御部１−４へ返信する。クロスコネクト変更処理の正常終了を受けたＸＣ型配線盤制御部１−４は、ＸＣ型配線盤装置８−２のクロスコネクト変更が正常終了したことを処理部１−６へ通知する。
【００８２】
処理部１−６は、エンドユーザＩのＬＩＦ盤収容替が正常に終了したと判断する。これにより、最もトラヒックが多いエンドユーザのＡＤＳＬ回線を比較的トラヒックが少ないＬＩＦ盤へ移し替えることで、トラヒックの平均化が図れ、不均衡が是正されることとなる。
【図面の簡単な説明】
【００８３】
【図１】本発明のＡＤＳＬ回線収容調整システムの構成を示す図である。
【図２】本発明によるＡＤＳＬ回線新規登録時の処理フローを示す図である。
【図３】本発明によるトラヒック不均衡に対する処理フローを示す図である。
【図４】本発明のＡＤＳＬ回線新規登録時の実施例のシステム構成例を示す図である。
【図５】ＡＤＳＬ回線の収容状況、伝送情報、ＡＤＳＬ速度の例を示す図である。
【図６】本発明のＡＤＳＬ回線トラヒック不均衡に対する実施例のシステム構成例を示す図である。
【図７】ＡＤＳＬ回線収容状態、ＬＩＦ単位のトラヒック、外部トラヒックの例を示す図である。
【図８】ＡＤＳＬ伝送方式のシステム構成を示す図である。
【図９】ＡＤＳＬ速度１．５Ｍｂｐｓ及び２４Ｍｂｐｓのシステム構成を示す図である。
【符号の説明】
【００８４】
１００  監視制御システム
１−１  コマンド処理部
１−２  内部速度収集部
１−３  ＬＩＦ盤収容変更部
１−４  ＸＣ型配線盤制御部
１−５  ＡＤＳＬ速度収集部
１−６  処理部
１−７  統計処理部
１−８  線路情報収集部
１−９  ＡＤＳＬ速度変換部
１−１０  ＡＤＳＬ速度対応データテーブル
１−１１  外部速度収集部
８−１  ＡＤＳＬモデム
８−２  ＸＣ型配線盤装置
８−３  ＤＳＬＡＭ装置
８−４  外部装置
８−５  監視制御端末
８−７  線路情報システム
８−８  インターネット網
【図１】
2005175659.tif 000003
【図２】
2005175659.tif 000004
【図３】
2005175659.tif 000005
【図４】
2005175659.tif 000006
【図５】
2005175659.tif 000007
【図６】
2005175659.tif 000008
【図７】
2005175659.tif 000009
【図８】
2005175659.tif 000010
【図９】
2005175659.tif 000011